(57)【要約】  【課題】  遊技結果を印刷したレシートを排出する際に、レシートを略Ｖ字形状に湾曲させて排出することにより、遊技者が排出されるレシートを取り易くしたロール紙排出機構及びそのロール紙排出機構を備えた遊技機を提供する。  【解決手段】  印刷ユニット３６から搬送されたロール紙６１をレシート排出口３５へと排出させるレシート排出装置３７において、下側案内部材７４と上側案内部材７５とが組み合わさることにより形成されたロール紙案内通路７６のロール紙６１が排出されるロール紙送出口９９は、下側案内部材７４の第１傾斜面８４、第２傾斜面８５、垂直面８６及び平板部８０と、上側案内部材７５の平板部９１、第３傾斜面９４、第１平面部９５及び第４傾斜面９６とによって略Ｖ字形状に形成されるように構成する。  【選択図】  図３ 
2006008261.tif 000002
【特許請求の範囲】
【請求項１】
ロール状に巻かれたロール紙を所定方向に排出するロール紙排出機構において、
前記ロール紙が通過するとともに、通過したロール紙を所定方向に湾曲させるロール紙案内通路を備え、
前記ロール紙案内通路は、
直線状に形成されるとともに前記ロール紙案内通路に前記ロール紙が送入される送入口と、
略Ｖ字形状に形成されるとともに前記ロール紙案内通路を通過した前記ロール紙が送出される送出口と、
を有することを特徴とするロール紙排出機構。
【請求項２】
ロール状に巻かれたロール紙を収納するロール紙収納部と、
前記ロール紙収納部に収納されたロール紙を搬送する搬送手段と、
遊技に関する遊技結果を前記ロール紙に印字する印字手段と、
遊技者に対して前記ロール紙を排出する排出口と、
前記印字手段により印字されたロール紙を前記排出口より排出する請求項１に記載のロール紙排出機構と、
を備えることを特徴とする遊技機。
【請求項３】
遊技の演出を行う演出表示部を備え、
前記排出口は前記演出表示部の下方に設けられていることを特徴とする請求項２に記載の遊技機。
【発明の詳細な説明】
【技術分野】
【０００１】
本発明は、ロール状に巻かれたロール紙を所定方向に排出するロール紙排出機構及びそのロール紙排出機構を備えた遊技機に関し、特に、通過したロール紙を所定方向に湾曲させることにより排出されるロール紙を取りやすくしたロール紙排出機構及びそのロール紙排出機構を備えた遊技機に関する。
【背景技術】
【０００２】
スロットマシン等の遊技機においては、遊技を終了する際に、遊技の結果獲得した遊技媒体（メダルやパチンコ球等）の数を記録した紙状のレシートを印刷するとともに、印刷したレシートを取り出して景品交換所に持参し、景品と交換することが可能な遊技システムが種々提案されている。
例えば、特開平４−５８９６５号公報には、レシート取り出し口をスロットマシンの下部に備え、ゲーム終了スイッチを押すとレシート発行機が作動して計数表示部に表示されている数字がレシートに記録されて取り出し口より送出される遊技機が記載されている。
【特許文献１】特開平４−５８９６５号公報（第２〜３頁、図３）
【発明の開示】
【発明が解決しようとする課題】
【０００３】
しかしながら、通常使用されるレシートはロール紙の一部を切断して作成されるのであり、特定方向に巻き癖がついている、従って前記した特許文献１に記載されたような遊技機のように、単に遊技結果を記録したレシートを取り出し口より送出するのみでは、送出されたレシートは巻き癖がついた状態で取り出し口から送出され、遊技者は送出されたレシートを掴み難くなっていた。更に、このような取り出し口は遊技媒体の払出口と同じく遊技機の下方に設けられている場合が多く、巻き癖がついた状態では遊技者の目に付き難く取り忘れてしまう虞もあった。
また、ローラ等を用いてロール紙の巻き癖を矯正する方法も考えられているが、そのような矯正装置を設けることは構造を複雑化し省スペースが困難になるとともに、コストアップを招くことにもなっていた。
【０００４】
本発明は、前記従来の問題点を解消するためになされたものであり、ロール紙を所定方向に湾曲させて排出することにより、ロール紙に巻き癖がついた状態であっても、直線状にロール紙が排出されるので、簡単な構造で、且つ排出されたロール紙を取りやすく、また、排出されたロール紙の取り忘れも防止できるロール紙排出機構及びそのロール紙排出機構を備えた遊技機を提供することを目的とする。
【課題を解決するための手段】
【０００５】
前記目的を達成するため請求項１に係るロール紙排出機構は、ロール状に巻かれたロール紙（例えば、ロール紙６１）を所定方向に排出するロール紙排出機構（例えば、ロール紙排出機構６０）において、前記ロール紙が通過するとともに、通過したロール紙を所定方向に湾曲させるロール紙案内通路（例えば、ロール紙案内通路７６）を備え、前記ロール紙案内通路は、直線状に形成されるとともに前記ロール紙案内通路に前記ロール紙が送入される送入口（例えば、ロール紙送入口９８）と、略Ｖ字形状に形成されるとともに前記ロール紙案内通路を通過した前記ロール紙が送出される送出口（例えば、ロール紙送出口９９）と、を有することを特徴とする。
【０００６】
また、請求項２に係る遊技機は、ロール状に巻かれたロール紙（例えば、ロール紙６１）を収納するロール紙収納部（例えば、ロール紙収納部７０）と、前記ロール紙収納部に収納されたロール紙を搬送する搬送手段（例えば、用紙搬送装置６３）と、遊技に関する遊技結果を前記ロール紙に印字する印字手段（例えば、印字装置６４）と、遊技者に対して前記ロール紙を排出する排出口（例えば、レシート排出口３５）と、前記印字手段により印字されたロール紙を前記排出口より排出する請求項１に記載のロール紙排出機構（例えば、ロール紙排出機構６０）と、を備えることを特徴とする。
【０００７】
更に、請求項３に係る遊技機は、請求項２に記載の遊技機（例えば、スロットマシン１）において、遊技の演出を行う演出表示部（例えば、下側液晶ディスプレイ４）を備え、前記排出口（例えば、レシート排出口３５）は前記演出表示部の下方に設けられていることを特徴とする。
【発明の効果】
【０００８】
請求項１に係るロール紙排出機構では、ロール紙が通過するとともに、通過したロール紙を所定方向に湾曲させるロール紙案内通路を備えるので、ロール紙案内通路を通過したロール紙は湾曲に変形された状態でロール紙案内通路より送出される。従って、ロール紙が巻き方向に従って巻き癖がついていた状態であったとしても、ロール紙を直線状に保持した状態で送り出すことが可能である。それにより、省スペースで、且つ部品点数を増やすことなく、送出されたロール紙を取りやすくすることが可能である。
【０００９】
また、請求項２に係る遊技機では、ロール状に巻かれたロール紙を排出口より排出する前記請求項１に記載のロール紙排出機構を備えるので、印字されたロール紙を排出口より湾曲に変形された状態で送出することができる。従って、ロール紙が巻き方向に従って巻き癖がついていた状態であったとしても、ロール紙を直線状に保持した状態で排出口より送り出すことが可能である。それにより、省スペースで、且つ部品点数を増やすことなく、遊技者が排出口より排出されたロール紙を取りやすくすることが可能である。
【００１０】
更に、請求項３に係る遊技機では、排出口は演出表示部の下方に設けられているので、排出口は通常の遊技者の目線に対して下方に位置しながらも、ロール紙が直線状に排出口ら排出されるので、遊技者の目に付き、排出されたロール紙を取り忘れる虞がない。
【発明を実施するための最良の形態】
【００１１】
以下、本発明に係るロール紙排出機構及びそのロール紙排出機構を備えた遊技機に関して、当該ロール紙排出機構が装置本体に内蔵されたスロットマシンについてついて具体化した実施形態に基づき図面を参照しつつ詳細に説明する。
先ず、本実施形態に係るスロットマシン１の概略構成について図１及び図２に基づき説明する。図１は本実施形態に係るスロットマシンの斜視図、図２は本実施形態に係るスロットマシンのキャビネット内部の内部構造を示す正面図である。
【００１２】
図１において、スロットマシン１はその全体を形成するキャビネット２を有しており、かかるキャビネット２の前面上部には上側液晶ディスプレイ３が配設され、また、キャビネット２の前面中央部には下側液晶ディスプレイ４が配設されている。ここに、上側液晶ディスプレイ３は一般に汎用されている液晶ディスプレイから構成されており、また、下側液晶ディスプレイ４は、所謂、透明液晶ディスプレイから構成されている。上側液晶ディスプレイ３には、ゲーム方法、当選役の種類とその配当等の遊技操作を補助するヘルプ情報や、ゲームに関する各種演出等の情報が表示される。
更に、下側液晶ディスプレイ４には、図１に示されているように、基本的に、３つの可変表示部６、７、及び８が表示されるとともに、各可変表示部６乃至８において各種の図柄を上方向から下方向に向かってスクロールしながら変動表示する。
【００１３】
下側液晶ディスプレイ４の下側には、手前側に突出された操作テーブル１０が設けられており、かかる操作テーブル１０には、遊技機正面に対向する位置から見て左側から両替（ＣＨＡＮＧＥ）ボタン１１、払い戻し（ＣＡＳＨＯＵＴ）ボタン１２、ヘルプ（ＨＥＬＰ）ボタン１３が配置されており、また、ヘルプボタン１３の右側には、メダル投入部１４、紙幣投入部１５が設けられている。また、操作テーブル１０の手前側にて左側から、１−ＢＥＴボタン１８、ＳＰＩＮ／ＲＥＰＥＡＴ  ＢＥＴボタン１９、３−ＢＥＴボタン２０、及び、５−ＢＥＴボタン２１、スタートボタン１７が配置されている。
【００１４】
また、キャビネット２正面に設けられた機器前面パネル２２を開いた際のキャビネット２内部の中央部には、リール２５、２６、２７が回転自在に設けられている。そして、これらのリール２５、２６、２７の外周面には複数図柄からなる図柄列が描かれている。
また、キャビネット内部のホッパー２８の横には両替機２９と電源ボックスユニット３０が設けられている。電源ボックスユニット３０の前面にはメインスイッチ３２、リセットスイッチ３３が設けられている。
【００１５】
両替ボタン１１は、紙幣投入部１５に投入した紙幣を両替する際に押下されるボタンであり、内部に設けられた両替機２９により両替されたメダルは、キャビネット２の下部に設けられたメダル払出口３８からメダル受け部３９に払い出される。かかる両替ボタン１１には、後述する両替（ＣＨＡＮＧＥ）スイッチ４０が付設されており、両替ボタン１１の押下に基づき両替スイッチ４０からスイッチ信号がＣＰＵ４１に出力される。
【００１６】
払い戻しボタン１２は、通常、ゲーム終了時に押下されるボタンであり、払い戻しボタン１２が押下されると、ゲームにて獲得したメダルの枚数が印字された紙製のレシートが後述のレシート排出口３５から送出される。尚、払い戻しボタン１２には、後述する払い戻し（ＣＡＳＨＯＵＴ）スイッチ４２が付設されており、払い戻しボタン１２の押下に基づきスイッチ信号がＣＰＵ４１に出力される。
【００１７】
ヘルプボタン１３は、ゲームの操作方法等が不明な場合に押下されるボタンであり、ヘルプボタン１３が押下されると、その直後に上側液晶ディスプレイ３に各種のヘルプ情報５からなるヘルプ画面が表示される。かかるヘルプボタン１３には、後述するヘルプ（ＨＥＬＰ）スイッチ４３が付設されており、ヘルプボタン１３の押下に基づきヘルプスイッチ４３からスイッチ信号がＣＰＵ４１に出力される。
【００１８】
メダル投入部１４には、後述するメダルセンサ４７が配置されており、メダル投入部１４にメダルが投入されると、メダルセンサ４７を介してメダル検出信号がＣＰＵ４１に出力される。また、紙幣投入部１５には、紙幣センサ４８が配置されており、紙幣投入部１５に紙幣が投入されると、紙幣センサ４８を介して紙幣検出信号がＣＰＵ４１に出力される。
【００１９】
１−ＢＥＴボタン１８は、１回押下する毎に１ずつベットされるボタンである。この１−ＢＥＴボタン１８には、後述する１−ＢＥＴスイッチ４９が付設されており、１−ＢＥＴボタン１８が押下されると、その押下に基づき１−ＢＥＴスイッチ４９からＣＰＵ４１にスイッチ信号が出力される。
スピン（ＳＰＩＮ／ＲＥＰＥＡＴ  ＢＥＴ）ボタン１９は、押下されることに基づき現在のベット数又は前回のベット数でゲームを開始すべく、下側液晶ディスプレイ４の各可変表示部６乃至８にて各図柄の変動表示が開始されるボタンである。スピンボタン１９には、後述するスピンスイッチ５０が付設されており、スピンボタン１９が押下されると、その押下に基づきスピンスイッチ５０からスイッチ信号がＣＰＵ４１に出力される。尚、スピンボタン１９の押下により、賭けることが可能なベット数としては、１、２、３、５ベットが存在し得る。
【００２０】
３−ＢＥＴボタン２０は、その押下に基づき３ベットでゲームを開始するためのボタンである。かかる３−ＢＥＴボタン２０には、後述する３−ＢＥＴボタンスイッチ５１が付設されており、その押下時には３−ＢＥＴボタンスイッチ５１からスイッチ信号がＣＰＵ４１に出力される。また、５−ＢＥＴボタン２１は、その押下に基づき５ベットでゲームを開始するためのボタンである。５−ＢＥＴボタン２１には、後述する５−ＢＥＴボタンスイッチ５２が付設されており、その押下に基づき５−ＢＥＴボタンスイッチ５２からスイッチ信号がＣＰＵ４１に出力される。
【００２１】
スタートボタン１７は、各ＢＥＴボタン１８〜２１によってベットしたベット数に基づいてリール２５、２６、２７の回転を開始させるボタンである。スタートボタン１７にはスタートスイッチ５６が付設されており、その押下時にはスタートスイッチ５６から発せられるスイッチ信号はＣＰＵ４１に出力される。可変表示部６〜８にてスクロール開始した図柄は、一定時間（本実施形態ではスタートボタン押下後、約３秒）経過した後、正面左側の可変表示部６から順番に停止される。
【００２２】
また、キャビネット２の下部には、メダル払出口３８が形成されるとともに、メダル払出口３８から払い出されたメダルを受けるメダル受け部３９が設けられている。メダル払出口３８の内部には、センサ等より構成されるメダル検出部５３が配置されており、メダル検出部５３はメダル払出口３８から払い出されるメダルの枚数を検出する。
【００２３】
一方、メダル払出口３８の側方には略Ｖ字形状を有するレシート排出口３５が設けられている。レシート排出口３５は、前記払い戻しボタン１２が押下された際に、現在遊技者が所有するメダルの枚数（クレジット数）が印字されたレシートが排出される排出口であり、本実施形態ではレシートがレシート排出口３５から３０ｍｍ（長さは任意に変更可能）排出された状態で保持される。そして、遊技者は、保持されているレシートを引き抜き、景品交換所に当該レシートを持参することによりレシートに記載されたメダルの枚数に応じた景品等と交換することが可能となる。
【００２４】
また、キャビネット２内部には印刷ユニット３６とレシート排出装置３７が設けられており、レシート排出口３５より排出されるレシートは、印刷ユニット３６内に収納されたロール紙６１（図３参照）に印刷ユニット３６によってメダル枚数（クレジット数）が印字され、所定長さ（例えば１００ｍｍ）に切断され、レシート排出口３５方向へと搬送されたものである。そして、印刷ユニット３６より搬送されたレシートは、レシート排出装置３７を通ってレシートの幅方向の両端が上側方向に湾曲された状態でレシート排出口３５から約３０ｍｍ排出された状態で保持される。ここで、レシートはロール紙６１を所定長さに切断して作成されるのでロール紙６１の巻き方向に従って巻き癖がついている。しかし、湾曲されて排出されたレシートは巻き癖がついていた状態であったとしても、直線状にレシート排出口３５から排出された状態で保持することができる。
また、レシート排出口３５は、スロットマシン１で各種演出（リールの回転等）を行う下側液晶ディスプレイ４の下方に設けられているので、通常の遊技者の目線に対して下方に位置する。しかし、レシートを直線状にレシート排出口３５から排出された状態で保持することができるので、遊技者の目に付き取り忘れる虞がない。尚、印刷ユニット３６及びレシート排出装置３７については後に詳細に説明する。
【００２５】
また、キャビネット２内部の電源ボックスユニット３０に設けられたメインスイッチ３２は、スロットマシン１が動作するために必要とされる電源供給を断続するスイッチである。リセットスイッチ３３は、エラー動作を解除する時と抽選確率を設定する時に操作されるスイッチである。
【００２６】
次に、本実施形態に係るレシート排出装置３７を用いたロール紙排出機構６０について説明する。図３は本実施形態に係るロール紙排出機構について示した模式図である。
図３に示すようにロール紙排出機構６０は印刷ユニット３６より搬送されたロール紙６１と、ロール紙６１が通過することによってロール紙６１の両端部が上側方向に位置するように湾曲させるレシート排出装置３７とから構成される。
【００２７】
まず、ロール紙６１をレシート排出装置３７に対して搬出する印刷ユニット３６について説明する。印刷ユニット３６は、図３に示すように、印字、用紙搬送、用紙切断等の動作を制御するユニット制御部６２を備え、このユニット制御部６２によって制御される用紙搬送装置６３、印字装置６４及びカッター装置６５がロール紙６１の搬送路に沿って設置されている。
【００２８】
また、ユニット制御部６２は、例えば、マイクロコンピュータで構成され、その内部には中央処理装置（ＣＰＵ）、記憶装置としてＲＯＭ及びＲＡＭの他、入出力装置等が備えられ、用紙搬送装置６３、印字装置６４及びカッター装置６５の駆動を制御する。そして、このユニット制御部６２には、外部よりスロットマシン１のＣＰＵ４１（図１０参照）が接続され、このスロットマシン１のＣＰＵ４１より印字データ（現在遊技者が所有するメダルの枚数）や、印字の開始指令が与えられる。
【００２９】
用紙排出装置６３は、大小の２種類の一対の搬出ローラ６７、６８と、搬出ローラ６８を回転させる駆動モータ６９とにより構成され、ロール紙収納部７０において一定方向に巻かれた状態で収納されたロール紙６１をレシート排出口３５へと強制的に搬送する装置である。具体的には、搬出ローラ６７、６８によって挟持されることにより搬出ローラ６７、６８の回転に従ってロール紙６１が搬送され、印刷ユニット３６から長孔状に形成された搬出口７２を介して印刷ユニット３６の外部へと送られる。そして、レシート排出装置３７を通ってレシート排出口３５よりスロットマシン１の外部へと排出される。尚、駆動モータ６９は前記ユニット制御部６２によって制御される。
【００３０】
また、印字装置６４は、印字ヘッド及びプラテン等で構成されており、プラテン上のロール紙に対して印字ヘッドにより印字が行われる。尚、印字される内容は遊技者が現在所有するメダルの枚数（クレジット数）であり、その印字データはスロットマシン１のＣＰＵ４１（図１０参照）より送信される。
【００３１】
そして、印刷ユニット３６の終端部側にはカッター装置６５が設けられており、このカッター装置６５には、搬送されるロール紙６１の搬送方向と直交する方向にスライドしてロール紙６１を切断するカッター刃（図示せず）が設けられている。カッター装置６５は、用紙搬出装置６３及び印字装置６４によって印字、搬送が終了したロール紙６１を、ユニット制御部６２の指示によって所定長さ（本実施形態では約１００ｍｍ）で切断する。カッター刃によって切断されたロール紙６１は、遊技結果が印字されたレシートとして遊技者の手へと渡る。
【００３２】
次に、印刷ユニット３６より搬出されたロール紙６１を湾曲させるレシート排出装置３７について説明する。レシート排出装置３７は、図３に示すように、ロール紙６１と接する上面部が凹状に形成された下側案内部材７４と、ロール紙６１と接する下面が凸状に形成された上側案内部材７５とにより構成されている。そして、下側案内部材７４と、上側案内部材７５とは僅かな間隙を持って対向して配置され、その間隙によって印刷ユニット３６から搬送されたロール紙６１が通過するロール紙案内通路７６が形成される。
【００３３】
続いて、レシート排出装置３７を構成する下側案内部材７４について図４及び図５に基づいて説明する。図４は本実施形態に係る下側案内部材を示した正面図、図５は本実施形態に係る下側案内部材を示した側面図である。
【００３４】
図４及び図５に示すように、下側案内部材７４は左側に設けられたロール紙案内部７７と、右側に設けられたメダル案内通路７８、７９とから大きく構成され、合成樹脂により成形されている。ロール紙案内部７７は、前記したように上側案内部材７５と嵌合することによりロール紙６１が通過するロール紙案内通路７６を形成する。一方、メダル案内通路７８、７９はメダル投入部１４より投入されたメダルや、両替機２９により両替されたメダルが通過する通路である。
【００３５】
ロール紙案内部７７は、水平面に対して所定角度（本実施形態では約４５度）傾斜されて設けられた平板部８０と、平板部８０の両側部にそれぞれ立設された側板８１、８２と、平板部８０の下側縁部において平板部８０と所定角度上側へと傾斜した第１傾斜面８４と、第１傾斜面８４に対して約６０度の角度で前方へ傾斜する第２傾斜面８５とから構成されている。
また平板部８０の下縁部中央付近には釣鐘形状を有する凹部８８が設けられている。一方、第２傾斜面８５の間には切欠部９０が形成されている。以上の構成を有する下側案内部材７４の平板部８０は、上端から下端へと徐々に略Ｖ字形状に変形されることとなる（図８、図９参照）。
【００３６】
次に、レシート排出装置３７を構成する上側案内部材７５について図６及び図７に基づいて説明する。図６は本実施形態に係る上側案内部材を示した正面図、図７は本実施形態に係る上側案内部材を示した側面図である。
【００３７】
図６及び図７に示すように、上側案内部材７５は、水平面に対して所定角度（本実施形態では約４５度）傾斜されて設けられた平板部９１と、平板部９１の両側部にそれぞれ立設された側板９２、９３とにより構成され、ステンレス等の金属を加工した板状部材により成形されている。
【００３８】
また、平板部９１の下側縁部の下縁部中央付近には、略台形形状を有する第１平面部９５が設けられ、第１平面部９５の周囲には第３傾斜面９４が形成される。更に、第１平面部９５の下縁部中央付近には、第４傾斜面９６が略三角形状に形成されている。以上の構成を有する上側案内部材７５の平板部９１は、上端から下端へと徐々に略Ｖ字形状に変形されることとなる（図８、図９参照）。
【００３９】
次に、前記下側案内部材７４と上側案内部材７５とが組み合うことにより構成されるロール紙案内通路７６において、ロール紙６１が送入されるロール紙送入口９８と、ロール紙案内通路７６を通過したロール紙６１が送出されるロール紙送出口９９についてそれぞれ図８及び図９に基づいて説明する。図８は本実施形態に係るロール紙案内通路のロール紙挿入口を示した模式図、図９は本実施形態に係るロール紙案内通路のロール紙送出口を示した模式図である。
【００４０】
図８に示すように、ロール紙送入口９８は、下側案内部材７４の平板部８０と、上側案内部材７５の平板部９１とによって直線状に形成されている。従って、印刷ユニット３６より搬送されたロール紙６１は、直線状に形成されたロール紙送入口９８よりロール紙案内通路７６内に挿入される。
【００４１】
一方、図９に示すように、ロール紙送出口９９は、下側案内部材７４の第１傾斜面８４、第２傾斜面８５、垂直面８６及び平板部８０と、上側案内部材７５の平板部９１、第３傾斜面９４、第１平面部９５及び第４傾斜面９６とによって段階的に略Ｖ字形状に形成されている。その際、平板部９１と第１傾斜面８４とが対向して配置され、第３傾斜面９４と第１第２傾斜面８５とが対向して配置され、第１平面部９５と平板部８０が対向して配置される。更に、第４傾斜面９６の下方には凹部８８が位置してロール紙案内通路７６を形成する。
従って、ロール紙案内通路７６を通過したロール紙６１は徐々にロール紙案内通路７６に沿って略Ｖ字形状（ロール紙の幅方向の両端が上側方向に湾曲された状態）に変形し、ロール紙送出口９９より送出される際には略Ｖ字形状に変形された状態でレシート排出口３５方向へと排出される（図３参照）。
【００４２】
従って、レシート排出装置３７を通ってロール紙６１の幅方向の両端が上側方向に湾曲され、レシート排出口３５から約３０ｍｍ排出された状態で前記カッター装置６５によってロール紙６１が切断され、レシートが作成される。従って、レシートにロール紙６１の巻き方向に従って巻き癖がついていた状態であったとしても、レシートを直線状にレシート排出口３５から排出された状態で保持することができるので、遊技者は排出されたレシートが取りやすく、また、遊技機の下方から排出された場合であっても目に付きやすく取り忘れる虞がない。
【００４３】
次に、スロットマシン１の制御系に係る構成について図１０に基づき説明する。図１０は本実施形態に係るスロットマシンの制御系を模式的に示すブロック図である。
図１０において、スロットマシン１の制御系は、基本的に、ＣＰＵ４１を核として構成されており、ＣＰＵ４１にはＲＯＭ４５及びＲＡＭ１１５が接続されている。ＲＯＭ４５は、後述するメイン処理プログラム、通常ゲーム処理プログラム、フリーゲーム処理プログラム、ゲームの進行に伴って上側液晶ディスプレイ３及び下側液晶ディスプレイ４に各種の演出を行うための各種演出プログラム、通常ゲーム及びフリーゲームの停止表示図柄を抽選するための抽選テーブル、その他スロットマシン１の制御上必要な各種のプログラム、データテーブル等が格納されている。また、ＲＡＭ１１５は、ＣＰＵ４１で演算された各種データを一時的に記憶しておくメモリである。
【００４４】
また、ＣＰＵ４１には、基準クロックパルスを発生するクロックパルス発生回路１１６及び分周器１１７が接続されており、また、乱数を発生する乱数発生器１１８及び乱数サンプリング回路１１９が接続されている。乱数サンプリング回路１１９を介してサンプリングされた乱数は、当選役、演出等の各種の抽選に使用される。更に、ＣＰＵ４１には、メインスイッチ３２、リセットスイッチ３３、両替ボタン１１に付設される両替スイッチ４０、払い戻しボタン１２に付設される払い戻しスイッチ４２、ヘルプボタン１３に付設されるヘルプスイッチ４３、１−ＢＥＴボタン１８に付設される１−ＢＥＴスイッチ４９、スピンボタン１９に付設されるスピンスイッチ５０、３−ＢＥＴボタン２０に付設される３−ＢＥＴスイッチ５１、５−ＢＥＴボタン５２に付設される５−ＢＥＴスイッチ５２、スタートレバー５５に付設されるスタートスイッチ５６がそれぞれ接続されている。ＣＰＵ４１は、各ボタンの押下等により各スイッチから出力されるスイッチ信号に基づき、対応する各種の動作を実行すべく制御を行う。
【００４５】
ＣＰＵ４１には、モータ駆動回路１２０を介して各リール２５乃至２７の回転を行う３つのステップモータ１２１乃至１２３が接続されおり、また、リール位置検出回路１２４が接続されている。ＣＰＵ４１からモータ駆動信号がモータ駆動回路１２０に出力されると、各ステップモータ１２１乃至１２３はモータ駆動回路１２０により回転駆動される。これにより各リール２５乃至２７の回転が行われる。
このとき、各リール２５乃至２７の回転が開始された後、ステップモータ１２１乃至１２３の各々に供給される駆動パルス数が計算され、その計算値はＲＡＭ１１５の所定エリアに書き込まれる。また、各リール２５乃至２７からは１回転毎にリセットパルスが出力され、かかるリセットパルスはリール位置検出回路１２４を介してＣＰＵ４１に入力される。このようにリセットパルスがＣＰＵ４１に入力されると、ＲＡＭ１１５に書き込まれている計算値は「０」にクリアされ、ＣＰＵ４１は、各リール２５乃至２７の１回転の範囲内における回転位置に対応する計算値と、ＲＯＭ４５に格納された各リール２５乃至２７の回転位置と各リール２５乃至２７の周面に形成された図柄とを対応させた図柄テーブルとに基づき、各リール２５乃至２７における図柄の回転位置を認識する。
【００４６】
更に、ＣＰＵ４１には、メダル投入部１４に配置されるメダルセンサ４７及び紙幣投入部１５に配置される紙幣センサ４８がそれぞれ接続されている。メダルセンサ４７はメダル投入部１４から投入されたメダルを検出し、ＣＰＵ４１はメダルセンサ４７から出力されるメダル検出信号に基づき投入されたメダル枚数を演算する。紙幣センサ４８は、紙幣投入部１５から投入された紙幣の種類・額を検出し、ＣＰＵ４１は紙幣センサ４８から出力される紙幣検出信号に基づき紙幣の額と等価なメダル枚数を演算する。
【００４７】
ＣＰＵ４１には、ホッパー駆動回路１００を介してホッパー２８が接続されている。ＣＰＵ４１から駆動信号がホッパー駆動回路１００に出力されると、ホッパー２８は、所定枚数のメダルをメダル払出口３８から払い出す。
また、ＣＰＵ４１には、払出完了信号回路１０１を介してメダル検出部５３が接続されている。メダル検出部５３はメダル払出口３８の内部に配置されており、メダル払出口３８から所定枚数のメダルが払い出されたことを検出した場合には、メダル検出部５３からメダル払出検出信号が払出完了信号回路１０１に出力され、これに基づき払出完了信号回路１０１は、ＣＰＵ４１に対して払出完了信号を出力する。更に、ＣＰＵ４１には、液晶駆動回路１０２を介して上側液晶ディスプレイ３が接続され、また、液晶駆動回路１０３介して下側液晶ディスプレイ４が接続され、ＣＰＵ４１により、上側液晶ディスプレイ３、及び下側液晶ディスプレイ４を制御している。
この点、液晶駆動回路１０３は、図１１に示すように、プログラムＲＯＭ１０５、画像ＲＯＭ１０６、画像制御ＣＰＵ１０７、ワークＲＡＭ１０８、ＶＤＰ（ビデオ・ディスプレイ・プロセッサ）１０９及びビデオＲＡＭ１１０などで構成されている。そして、プログラムＲＯＭ１０５には、下側液晶ディスプレイ４での表示に関する画像制御用プログラムや各種選択テーブルが格納されている。また、画像ＲＯＭ１０６には、例えば、下側液晶ディスプレイ４で表示される画像を形成するためのドットデータが格納されている。また、画像制御ＣＰＵ１０７は、ＣＰＵ４１で設定されたパラメータに基づき、プログラムＲＯＭ１０５内に予め記憶された画像制御プログラムに従い、画像ＲＯＭ１０６内に予め記憶されたドットデータの中から下側液晶ディスプレイ４に表示する画像の決定を行うものである。また、ワークＲＡＭ１０８は、前記画像制御プログラムを画像制御ＣＰＵ１０７で実行するときの一時記憶手段として構成される。また、ＶＤＰ１０９は、画像制御ＣＰＵ１０７で決定された表示内容に応じた画像を形成し、下側液晶ディスプレイ４に出力するものである。尚、ビデオＲＡＭ１１０は、ＶＤＰ１０９で画像を形成するときの一時記憶手段として構成される。
【００４８】
また、ＣＰＵ４１には、ＬＥＤ駆動回路１１１を介してＬＥＤ１１２が接続されている。ＬＥＤ１１２は、スロットマシン１の前面にて多数配設されて各種の演出を行う際に、ＣＰＵ４１からの駆動信号に基づきＬＥＤ駆動回路１１１により点灯制御されるものである。更に、音出力回路１１３及びスピーカ１１４がＣＰＵ４１に接続されており、スピーカ１１４は、音出力回路１１３からの出力信号に基づき各種演出を行う際に各種の効果音を発生するものである。
【００４９】
また、ＣＰＵ４１には印刷ユニット３６が接続されている。印刷ユニット３６は前記したように用紙搬送装置６３、印字装置６４及びカッター装置６５とからなるユニットであり、ＣＰＵ４１から送信された指令に基づいて、ユニット制御部６２が各装置を制御する。具体的には、払い出しスイッチ４２の信号が入力されたことに基づいて、ＣＰＵ４１は用紙の搬送を開始する指令を送信し、ユニット制御部６２は用紙搬送装置６３によって用紙の搬送を開始する。更に、ＲＡＭ１１５に記憶された現在の獲得メダル枚数に基づいて、ＣＰＵ４１は用紙に印刷するメダル枚数のデータを送信し、ユニット制御部６２は印字装置６４を制御して該当するメダル枚数をロール紙６１に印字する。また、ユニット制御部６２は、所定長さのロール紙６１を搬送した時点で、カッター装置６５を駆動させ、ロール紙６１を切断し、遊技結果が印刷されたレシートを作成する。
【００５０】
以上説明した通り本実施形態に係るスロットマシン１では、印刷ユニット３６から搬送されたロール紙６１をレシート排出口３５へと排出させるレシート排出装置３７において、下側案内部材７４と上側案内部材７５とが組み合わさることにより形成されたロール紙案内通路７６のロール紙６１が排出されるロール紙送出口９９は、下側案内部材７４の第１傾斜面８４、第２傾斜面８５、垂直面８６及び平板部８０と、上側案内部材７５の平板部９１、第３傾斜面９４、第１平面部９５及び第４傾斜面９６とによって略Ｖ字形状に形成されているので、ロール紙案内通路７６を通過したロール紙６１は徐々にロール紙案内通路７６に沿って略Ｖ字形状（ロール紙の幅方向の両端が上側方向に湾曲された状態）に変形し、ロール紙送出口９９より送出する際には略Ｖ字形状に変形された状態でレシート排出口３５方向へと排出される（図３参照）。
従って、レシート排出装置３７を通ってロール紙６１の幅方向の両端が上側方向に湾曲され、レシート排出口３５から約３０ｍｍ排出された状態で前記カッター装置６５によってロール紙６１が切断され、レシートが作成される。従って、レシートにロール紙６１の巻き方向に従って巻き癖がついていた状態であったとしても、レシートを直線状にレシート排出口３５から排出された状態で保持することができるので、遊技者は排出されたレシートが取りやすく、また、スロットマシンの下方から排出された場合であっても目に付きやすく取り忘れる虞がない。
更に、巻き癖を矯正するローラ等の特別な部材を用いることなく、ロール紙送出口９９の形状を変更することのみによってレシートの排出を行うので、部品点数を増やすことなく低コストで、且つ省スペース化を実現したスロットマシン１を提供することが可能となる。
【００５１】
尚、本発明は前記実施例に限定されるものではなく、本発明の要旨を逸脱しない範囲内で種々の改良、変形が可能であることは勿論である。
例えば、本実施形態においては、ロール紙の巻き癖がついていた場合に、直線状に排出可能としたものであるが、例えば、ロール紙以外であっても薄い用紙などは自重によってレシート排出口３５より排出された際に下方へ折れ曲がってしまうことが考えられる。しかしながら、本発明は、そのような用紙を使用する場合であっても、直線状にレシート排出口３５より排出することが可能であり、レシートを取りやすくすることが可能である。
また、レシートを湾曲させる方向は上下どちらであっても同様の効果を有する。
【００５２】
また、印刷されるレシートはメダルの枚数を表示するのではなく、メダルの枚数をバーコードによりデータ化したものを印刷することも可能である。それにより、レシートの偽造等を防止することが可能である。
【００５３】
また、図１２に示すようにレシート排出装置１３０の両端部にそれぞれ用紙ガイド１３１、１３２を形成する。そして、形成された用紙ガイド１３１、１３２に、それぞれ所定角度（本実施形態では１０度）で傾斜したロール紙案内通路１３３、１３４を形成し、レシート送出口１３５より送出されたレシートを湾曲させて排出することも可能である。
【図面の簡単な説明】
【００５４】
【図１】本実施形態に係るスロットマシンの斜視図である。
【図２】本実施形態に係るスロットマシンのキャビネット内部の内部構造を示す正面図である。
【図３】本実施形態に係るロール紙排出機構について示した模式図である。
【図４】本実施形態に係る下側案内部材を示した正面図である。
【図５】本実施形態に係る下側案内部材を示した側面図である。
【図６】本実施形態に係る上側案内部材を示した正面図である。
【図７】本実施形態に係る上側案内部材を示した側面図である。
【図８】本実施形態に係るロール紙案内通路のロール紙挿入口を示した模式図である。
【図９】本実施形態に係るロール紙案内通路のロール紙送出口を示した模式図である。
【図１０】本実施形態に係るスロットマシンの制御系を模式的に示すブロック図である。
【図１１】下側液晶ディスプレイの液晶駆動回路を模式的に示すブロック図である。
【図１２】他の実施形態に係るロール紙排出装置を示した斜視図である。
【符号の説明】
【００５５】
１              スロットマシン
４              下側液晶ディスプレイ
３５            レシート排出口
３７            レシート排出装置
６０            ロール紙排出機構
６１            ロール紙
６３            用紙搬送装置
６４            印字装置
６５            カッター装置
７０            ロール紙収納部
７６            ロール紙案内通路
９８            ロール紙送入口
９９            ロール紙送出口
【図１】
2006008261.tif 000003
【図２】
2006008261.tif 000004
【図３】
2006008261.tif 000005
【図４】
2006008261.tif 000006
【図５】
2006008261.tif 000007
【図６】
2006008261.tif 000008
【図７】
2006008261.tif 000009
【図８】
2006008261.tif 000010
【図９】
2006008261.tif 000011
【図１０】
2006008261.tif 000012
【図１１】
2006008261.tif 000013
【図１２】
2006008261.tif 000014